(57)【要約】【課題】  尿取りパッドとして使用するのに適したものであり、少量の尿が排泄されたとき、および比較的覆う尿が排泄されたときの双方において、尿を確実に捕捉しやすい吸収性物品を提供する。【解決手段】  パルプと高吸水性樹脂とで形成された吸収体１３の表面に液透過性シート２０が設けられ、この液透過性シート２０により、弾性部材２５を有する肌当て部２１と、側方固定部２２と、立ち上げ部２３が形成されている。この立ち上げ部２３には撓み余裕部２３ａが形成されている。少量の尿が与えられたときには、肌当て部２１が肌に密着することで吸収でき、比較的多く与えられた尿は空洞部２６で貯められた後に吸収体１３で吸収される。【選択図】図３
2006271649.tif 000002
【特許請求の範囲】
【請求項１】
吸収体と、前記吸収体の受液側に設けられた液透過性シートと、前記吸収体の着衣対向側に設けられた背面シートとを有し、縦方向の長さ寸法が幅寸法よりも大きい縦長の吸収性物品において、
前記液透過性シートは、縦方向中心線に沿って延びる肌当て部と、この肌当て部の両側で前記吸収体の受液側の表面に固定される側方固定部と、前記肌当て部と前記側方固定部とを繋ぐ一対の立ち上げ部とを有しており、
前記肌当て部には、弾性伸縮部が設けられ、この弾性伸縮部の縦方向の弾性収縮力によって、前記肌当て部が前記吸収体の表面から離間しており、
前記吸収体の上には、前記肌当て部と前記立ち上げ部とで囲まれて縦方向に延びる空洞部が形成されていることを特徴とする吸収性物品。
【請求項２】
前記弾性伸縮部は横方向に間隔を開けて設けられ、所定幅の前記肌当て部が吸収体の表面から離間する請求項１記載の吸収性物品。
【請求項３】
縦方向に延びる弾性部材が液透過性シートに接合されて前記弾性伸縮部が形成されている請求項１または２記載の吸収性物品。
【請求項４】
固定部と肌当て部との間で、立ち上げ部を形成する液透過性シートが撓み余裕を有している請求項１ないし３のいずれかに記載の吸収性物品。
【請求項５】
前記肌当て部は、第１の領域と、第１の領域よりも後方に位置する第２の領域を有しており、吸収体の表面からの立ち上り高さは、第１の領域が第２の領域よりも高く、且つ第１の領域と第２の領域の双方に、前記空洞部が形成されている請求項１ないし４のいずれかに記載の吸収性物品。
【請求項６】
前記第１の領域に前記弾性伸縮部が設けられ、第２の領域に弾性伸縮部が設けられていない請求項５記載の吸収性物品。
【請求項７】
一方の立ち上げ部の基端と他方の立ち上げ部の基端との幅方向の距離は、第１の領域の方が第２の領域よりも広い請求項５または６記載の吸収性物品。
【請求項８】
受液側の表面の両側部には、縦方向へ延びる防漏壁が形成されており、この防漏壁は、シートと弾性部材とで形成され、この弾性部材の弾性収縮力によって、吸収体は、受液側の表面が窪む状態に曲げられる請求項１ないし７のいずれかに記載の吸収性物品。
【請求項９】
吸収コアが圧縮された圧縮部が設けられ、この圧縮部は縦方向中心線から左右に離れて位置し、且つ所定幅で縦方向に連続して形成されている請求項１ないし８のいずれかに記載の吸収性物品。
【請求項１０】
前記肌当て部と前記側方固定部の双方を覆う液透過性の表面シートが設けられている請求項１ないし９のいずれかに記載の吸収性物品。
【請求項１１】
前記表面シートは伸縮性を有している請求項１０記載の吸収性物品。
【請求項１２】
前記表面シートには、肌当て部の両側部に貫通部が形成されている請求項１０または１１記載の吸収性物品。
【発明の詳細な説明】
【技術分野】
【０００１】
本発明は、液吸収機能を有する吸収性物品に係り、特に尿取りパッドとして使用するのに適した吸収性物品に関する。
【背景技術】
【０００２】
尿取りパッドとして使用される吸収性物品は、液透過性の表面シートと、液不透過性の背面シート、および表面シートと背面シートとの間に位置する吸収体とで構成されており、吸収体は、パルプと高吸水性樹脂とが混合されて形成されているのが一般的である。パルプは液を瞬間に吸収する機能に優れ、高吸水性樹脂は多量の液を吸収して保持する能力を有している。
【０００３】
くしゃみをしたときなどに生じる腹圧時の軽い失禁は、排泄される尿がわずかであり、その尿は尿道から勢い良く排泄されず、肌を伝わって移動しやすい。吸収性物品と身体の排泄部とが密着できていないと、肌を伝わる尿を吸収体に確実に移行させることができず、肌を伝わって移動する尿が吸収性物品の外部に洩れやすくなる。また、尿が肌に長期間接触していることにより肌荒れも生じやすくなる。
【０００４】
このように、尿取りパッドとして使用される吸収性物品は、多量の尿が与えられたときにその尿を速やかに且つ確実に吸収できることが必要であるとともに、少量排泄される尿を確実に捕捉することも要求される。これは、生理用ナプキンとして使用される吸収性物品においても同じである。
【０００５】
以下の特許文献１と特許文献２に記載されるように、従来の吸収性物品として、受液側の表面に縦方向に延びる隆起部が形成されているものがある。これら吸収性物品は、隆起部を排泄部に密着できるようにして排泄部から排泄される少量の液を捕捉しやすくしている。
【０００６】
しかし、特許文献１に記載のように、隆起部が液吸収性のシートで形成されていると、隆起部に尿などが残って湿潤状態になり、この隆起部が接触する部分の肌が濡れた状態となりやすい。濡れた状態の肌と吸収性物品とが擦れることにより肌にかぶれが生じやすくなる。また、尿などが多量に排泄されると、隆起部が液の透過の抵抗となり、一時に多量の液が隆起部の両側部などに溜まりやすい。液の排泄量が多いときには、パルプの吸収速度が追従できず、前記液が吸収性物品の左右両外側へ流れ出やすくなる。
【特許文献１】特開平９−３１３５２９号公報
【特許文献２】特開２００２−３２０６３８号公報
【発明の開示】
【発明が解決しようとする課題】
【０００７】
本発明は上記従来の課題を解決するものであり、少量の液が与えられたときに、この液を吸収でき、また肌との接触部に液が残りにくく、また、多量の液が与えられたときには、この液を外部に洩らすことなく捕捉しやすい吸収性物品を提供することを目的としている。
【課題を解決するための手段】
【０００８】
本発明は、吸収体と、前記吸収体の受液側に設けられた液透過性シートと、前記吸収体の着衣対向側に設けられた背面シートとを有し、縦方向の長さ寸法が幅寸法よりも大きい縦長の吸収性物品において、
前記液透過性シートは、縦方向中心線に沿って延びる肌当て部と、この肌当て部の両側で前記吸収体の受液側の表面に固定される側方固定部と、前記肌当て部と前記側方固定部とを繋ぐ一対の立ち上げ部とを有しており、
前記肌当て部には、弾性伸縮部が設けられ、この弾性伸縮部の縦方向の弾性収縮力によって、前記肌当て部が前記吸収体の表面から離間しており、
前記吸収体の上には、前記肌当て部と前記立ち上げ部とで囲まれて縦方向に延びる空洞部が形成されていることを特徴とするものである。
【０００９】
例えば、前記弾性伸縮部は横方向に間隔を開けて設けられ、所定幅の前記肌当て部が吸収体の表面から離間する。また、縦方向に延びる弾性部材が液透過性シートに接合されて前記弾性伸縮部が形成されている。
【００１０】
本発明の吸収性物品は、肌当て部が人体の排泄部に密着しやすいため、尿などが少量排泄されたときには、この尿などを肌当て部で捕捉でき、尿などが液透過性シートを伝わって吸収体に移行できるようになる。また多量の尿などが与えられたときには、その尿が液透過性シートを通過して吸収体に吸収されるが、吸収しきれない尿などは前記空洞部内に一度貯められた後に吸収体に吸収される。よって、多量の尿などが与えられたときも、横漏れを生じにくい。
【００１１】
本発明では、固定部と肌当て部との間で、立ち上げ部を形成する液透過性シートが撓み余裕を有していることが好ましい。
【００１２】
立ち上げ部が撓み余裕を有していると、空洞部の内部容量を大きくでき、空洞部内で一時に多量の尿などを貯めることができ、尿などの洩れが生じにくくなる。
【００１３】
本発明は、前記肌当て部は、第１の領域と、第１の領域よりも後方に位置する第２の領域を有しており、吸収体の表面からの立ち上り高さは、第１の領域が第２の領域よりも高く、且つ第１の領域と第２の領域の双方に、前記空洞部が形成されているものとして構成できる。
【００１４】
上記構成の吸収性物品は、第１の領域が尿排泄部に当接し、第２の領域が肛門付近から臀部付近に当接する。第１の領域では肌当て部が吸収体から大きく離れているために、この第１の領域が尿排泄部に密着しやすく、第２の領域は、肌当て部が低いため股間部に違和感を与えにくい。しかも空洞部は、第１の領域のみならず第２の領域も形成されているため、一時に多くの尿が排泄されたときに、吸収性物品の前後の長い範囲において、空洞部に尿を一時的に貯めることができ、横洩れを防止しやすくなる。
【００１５】
例えば、前記第１の領域に前記弾性伸縮部が設けられ、第２の領域に弾性伸縮部が設けられていないものである。
【００１６】
また、一方の立ち上げ部の基端と他方の立ち上げ部の基端との幅方向の距離は、第１の領域の方が第２の領域よりも広いものである。この構成では、第１の領域での空洞の断面積を、第２の領域での空洞の断面積よりも大きくできる。
【００１７】
また、本発明は、受液側の表面の両側部には、縦方向へ延びる防漏壁が形成されており、この防漏壁は、シートと弾性部材とで形成され、この弾性部材の弾性収縮力によって、吸収コアは、受液側の表面が窪む状態に曲げられることが好ましい。
【００１８】
吸収体が股間部に装着された状態で、吸収体が凹状に曲げられ、さらに両側部に防漏壁が立ち上がっていると、多量の尿が与えられたときに、凹状の吸収体と両側の防漏壁との間に尿を保持できるようになり、吸収体が吸収しきれない尿が側方から洩れにくくなる。
【００１９】
また、本発明は、吸収コアが圧縮された圧縮部が設けられ、この圧縮部は縦方向中心線から左右に離れて位置し、且つ所定幅で縦方向に連続して形成されたものとして構成できる。
【００２０】
圧縮部が、肌当て部の両側部に位置すると、高密度の圧縮部で液を迅速に吸収でき、しかも吸収体の両側端部に圧縮部が設けられず両側端部が硬くならないため、吸収体を股間部に当てたときの装着感が良好になる。
【００２１】
また、前記肌当て部と前記側方固定部の双方を覆う液透過性の表面シートが設けられ、例えば表面シートが肌当て部の表面に固定されているものとして構成できる。
【００２２】
表面シートで肌当て部が覆われていると、肌当て部が直接見えなくなるため、受液側の外観が良好になり、年配者などが使用しやすいものとなる。
【００２３】
また、前記表面シートは伸縮性を有していることが好ましい。表面シートを噛み込みエンボス加工することでこの伸縮性を発揮させることができ、あるいは表面シートを弾性伸縮性を有する素材で形成することにより、前記伸縮性を発揮させることができる。表面シートが伸縮性を有することにより、肌当て部を吸収体から離間させやすくなり、また肌当て部の自由度を高めることができる。
【００２４】
また、前記表面シートには、肌当て部の両側部において縦方向に延びるスリットなどの貫通部が形成されているものであってもよい。
【００２５】
上記貫通部が形成されていると、肌当て部が、表面シートに拘束されることなく吸収体の表面から立ち上がりやすくなる。また一時に多量の尿が与えられたときに、尿が貫通部を通過して吸収体に直接移行でき、吸収体で速やかに多量の尿を吸収できるようになる。
【発明の効果】
【００２６】
本発明の吸収性物品は、人体の排泄部に密着しやすく、少量の排泄液を捕捉しやすい。また尿などが多量に与えられたときに、尿などが外部に洩れにくく、吸収体で速やかで確実に吸収できるようになる。
【発明を実施するための最良の形態】
【００２７】
図１は本発明の第１の実施の形態の吸収性物品１を示す斜視図、図２は吸収性物品を平面状に展開した状態を受液側表面から示す平面図、図３は図２に示す吸収性物品１をＩＩＩ−ＩＩＩ線で切断した断面図、図４はＩＶ−ＩＶ線で切断した断面図である。
【００２８】
この吸収性物品１は、高齢女性の失禁患者が使用するのに適したものであり、腹圧性失禁により少量排泄された尿を捕捉しやすく、また切迫性失禁によって一時に比較的多量の尿が排泄されたときに、この尿を捕捉して吸収する機能を発揮できる。吸収性物品１は縦方向（Ｙ方向）の長さ寸法が、幅方向（Ｘ方向）の寸法よりも長い縦長形状である。縦方向の長さ寸法は、３００〜５００ｍｍ程度であり、幅方向の寸法は１００〜２００ｍｍ程度である。また、下着と身体との間に装着した状態で、厚みが５〜３０ｍｍ程度である。
【００２９】
吸収性物品１は、前縁部２と後縁部３、および右側縁部４と左側縁部５を有している。図２に示すように、縦方向の長さＬ１の部分では、右側縁部４に縦方向中心線Ｏに向かう曲線状の凹部４ａが形成され、左側縁部５にも凹部５ａが形成されている。この凹部４ａ，５ａが形成されている部分が大腿部の間に位置するように装着される。吸収性物品１は、凹部４ａ，５ａが形成されている領域の前端から前縁部２までの距離に対し、前記領域の後端から後縁部３までの距離が等しいか、あるいは長い。
【００３０】
図３と図４に示すように、吸収性物品１の着衣対向側には背面シート１１が設けられている。この背面シート１１の外形は図２に示す吸収性物品の外形と同じであり、背面シート１１の縁部は、前記前縁部２と後縁部３、および右側縁部４と左側縁部５に一致している。この背面シート１１は、ポリエチレン樹脂フィルムなどの液不透過性で且つ非通気性樹脂フィルムで形成されている。また、背面シート１１が、液不透過性で且つ通気性の樹脂フィルムで形成されてもよい。
【００３１】
背面シート１１の外面には感圧接着剤層１２，１２が設けられている。この感圧接着剤層１２は、ゴム系などのホットメルト型接着剤を塗工して形成されたものである。図３と図４では省略しているが、吸収性物品１を使用するまでは、感圧接着剤層１２の表面に離型シートが接着されて、感圧接着剤層１２が保護されている。
【００３２】
背面シート１１の上には吸収体１３が設置され、背面シート１１と吸収体１３とがホットメルト型接着剤などで接着固定されている。吸収体１３は、パルプ繊維と高吸水性樹脂とが混合されたものであり、高吸水性樹脂の含有比は、２０〜６０質量％程度であり、パルプ繊維と高吸水性樹脂の合計の目付けは、５００〜２０００ｇ／ｍ２程度であるが、これらの数値に限定されるものではない。吸収体１３は、パルプ繊維と高吸水性樹脂とが混合された下層吸収体１３ｆの上に、同じくパルプ繊維と高吸水性樹脂とが混合された上層吸収体１３ｅを積層し、親水性のティッシュペーパーで包んだものである。
【００３３】
図２に示すように、吸収体１３の平面形状は、前縁部１３ａと後縁部１３ｂ、および右側縁部１３ｃと左側縁部１３ｄを有する長方形状であり、吸収体１３の前縁部１３ａと後縁部１３ｂは、吸収性物品１の前縁部２および後縁部３よりも内側に位置し、吸収体１３の右側縁部１３ｃと左側縁部１３ｄは、吸収性物品１の右側縁部４および左側縁部５よりも内側に位置している。
【００３４】
図３と図４に示すように、吸収体１３には、縦方向中心線Ｏから左右に等距離離れた位置に、所定幅Ｗ１の圧縮部が形成されている。左右両側のそれぞれの圧縮部は縦方向に帯状に延び、この圧縮部は、吸収体１３の前縁部１３ａから後縁部１３ｂまで連続して形成されている。あるいは、圧縮部の前端が前記前縁部１３ａよりもやや内側に位置し、圧縮部の後端が前記後縁部１３ｂよりもやや前方に位置してもよい。
【００３５】
前記圧縮部は、吸収体１３にエンボス加工を施して加圧し圧縮することで形成されている。このエンボス加工により、圧縮部では多数配列されたドット状のパターン、または縞状または網状のパターンとなるように加圧され圧縮される。前記幅寸法Ｗ１の圧縮部では、吸収体１３の密度が、縦方向中心線Ｏに沿う中央部分よりも高く、また厚み寸法も前記中央部分よりも薄くなっている。この圧縮部は繊維密度が高いため、液を迅速に吸収できる。しかも、圧縮部は、吸収体１３の右側縁部１３ｃと左側縁部１３ｄの部分に形成されていないため、右側縁部１３ｃと左側縁部１３ｄが硬くならず、吸収体１３を股間部に装着したときに、圧縮部が身体に違和感を与えにくい構造である。吸収体１３の右側縁部１３ｃまたは左側縁部１３ｄと圧縮部までの距離は、５ｍｍ以上設けることが好ましく、さらに１０ｍｍ以上設けることが好ましい。また、圧縮部の幅寸法Ｗ１は３〜１５ｍｍ程度である。
【００３６】
吸収体１３の受液側の表面には、液透過性シート２０が設けられている。この液透過性シートは、親水性で液を透過する機能を有しているものである。液透過性シート２０は、好ましくは、親水処理された合成樹脂繊維のみで形成され、液保持機能を有するパルプなどの天然繊維、高吸水性樹脂、ポリビニールアルコール（ＰＶＡ）などの吸水性樹脂を含まないものが使用される。優れた液透過機能を発揮できるように、液透過性シート２０として、目付けが１０〜４０ｇ／ｍ２の範囲のスルーエア不織布を使用することが好ましい。スルーエア不織布は、芯部がポリプロピレン樹脂（ＰＰ）またはポリエチレンテレフタレート樹脂（ＰＥＴ）で、鞘部がポリエチレン樹脂（ＰＥ）の芯鞘型複合合成繊維、またはＰＥＴ樹脂繊維、ＰＰ樹脂繊維などで形成される。
【００３７】
ただし、液透過性シート２０を、前記パルプ繊維やレーヨン繊維などを含むもので形成することも可能である。
【００３８】
液透過性シート２０はＸ方向の幅寸法が一定で、縦方向（Ｙ方向）に連続して延びているものであり、その前端は吸収性物品１の前縁部２に一致し、後端は後縁部３に一致している。
【００３９】
図３と図４に示すように、液透過性シート２０によって、肌当て部２１と、この肌当て部２１の左右両側において吸収体１３の表面に固定されている側方固定部２２，２２と、肌当て部２１と側方固定部２２，２２のそれぞれとを繋ぐ立ち上げ部２３，２３が形成されている。側方固定部２２と立ち上げ部２３との境界線が、立ち上げ部２３の基端２４である。肌当て部２１と、その両側の立ち上げ部２３，２３とによって、隆起部が形成されている。なお、図３と図４では、前記基端２４が、幅寸法Ｗ１の圧縮部よりも内側に位置しているが、この基端２４が圧縮部の上に位置してもよい。
【００４０】
また、この実施の形態では、側方固定部２２が吸収体１３の表面に直接に接着されているが、吸収体１３の表面と側方固定部２２との間に、他の親水性のシートなどが介在していてもよい。
【００４１】
図２に示すように、前記隆起部は、図２に示す第１の領域３１と、それよりも後方の第２の領域３２にわたって形成されている。第１の領域３１の長さ寸法Ｌ２は１３０〜２３０ｍｍ程度であり、第２の領域３２の長さ寸法Ｌ３は、前記第１の領域３１の長さ寸法Ｌ２よりも短く設定されている。なお、前記長さ寸法Ｌ２とＬ３が同じであってもよいし、第２の領域３２の長さ寸法Ｌ３が、第１の領域３１の長さ寸法Ｌ２より長くてもよい。図３は、第１の領域３１の断面図を示し、図４は第２の領域３２の断面図を示している。
【００４２】
前記第１の領域３１では、肌当て部２１を形成している液透過性シート２０が、縦方向中心線Ｏを挟む両側において、それぞれ二つ折りとされ、折られた液透過性シート２０の間に、弾性部材２５が挟まれ、液透過性シート２０の折り内面と弾性部材２５とがホットメルト型接着剤で接着固定されている。弾性部材２５は、縦方向中心線Ｏを挟んだ一方の側に４本、他方の側に４本設けられ、弾性部材２５が、縦方向へ１．２〜２倍の範囲で伸ばされた状態で液透過性シート２０に固定されている。第１の領域３１では、この弾性部材２５によって弾性伸縮部が形成され、この弾性伸縮部では肌当て部２１に縦方向への弾性収縮力が作用している。肌当て部２１の幅寸法Ｗ２は、２５〜４０ｍｍ程度である。
【００４３】
図３に示すように、第１の領域３１では、基端２４から肌当て部２１に向けて立ち上がる一対の立ち上げ部２３，２３のそれぞれにおいて、液透過性シート２０が上下方向へ張り詰めているのではなく、立ち上げ部２３で液透過性シート２０に撓み余裕部２３ａが設けられている。なお、この撓み余裕部２３ａに縦方向に延びる複数の弾性部材が接着固定されて、図３の断面図で見たときに、撓み余裕部２３ａが弾性部材を有する部分で蛇腹形状に折られていてもよい。
【００４４】
図４に示すように、第２の領域３２においても、肌当て部２１を形成する液透過性シート２０が、縦方向中心線Ｏを挟む両側において、それぞれ二つ折りとされ接着されている。しかし、第２の領域３２では、肌当て部２１に弾性部材２５が設けられていない。第２の領域３２では、基端２４から肌当て部２１に延びる一対の立ち上げ部２３において、液透過性シート２０に折り畳み部２３ｂが形成され、この折り畳み部２３ｂで液透過性シート２０が互いに融着されて接合されている。この融着は、熱シール、超音波シールあるいは高周波シールなどである。または、折り畳み部２３ｂにおいて液透過性シート２０どうしが接着固定されてもよい。
【００４５】
図３と図４に示すように、第１の領域３１では、側方固定部２２と立ち上げ部２３との境界線である基端２４と基端２４との幅方向への間隔寸法Ｗ３が、第２の領域での基端２４と基端２４との幅方向への間隔寸法Ｗ４よりも広く形成されている。前記寸法Ｗ３は寸法Ｗ４の１．２倍以上で、好ましくは１．５倍以上である。第２の領域３２において、立ち上げ部２３に折り畳み部２３ｂが形成され、また第２の領域３２において基端２４と基端２４との幅方向の間隔寸法Ｗ４が狭く形成されているため、第１の領域３１では、前記弾性部材２５の弾性収縮力によって、肌当て部２１が吸収体１３の表面から大きく離間する。吸収性物品１の着衣側表面、すなわち背面シート１１の表面から、肌当て部２１の受液側の表面までの立ち上がり高さの最大寸法は、１０〜４５ｍｍ程度であり、好ましくは１５ｍｍ以上である。
【００４６】
そして、第１の領域３１では、基端２４と基端２４との間に位置している吸収体１３の表面と、撓み余裕部２３ａを有している両立ち上げ部２３と、肌当て部２１との間に、空洞部２６が形成されている。
【００４７】
図４に示すように、第２の領域３２では、吸収体１３の表面から肌当て部２１の表面までの立ち上がり高さ寸法が第１の領域３１よりも低い。しかし、基端２４と基端２４との間に位置している吸収体１３の表面と、その上に位置する肌当て部２１とが直接に接着されておらず、基端２４と基端２４との間に位置する吸収体１３の表面と、立ち上げ部２３と肌当て部２１との間にはその断面積は小さいが、液が通過することが可能な空洞部２７が形成されている。
【００４８】
なお、第１の領域３１の前端と、吸収性物品１の前縁部２との間の構造は、図４と同じであるか、または肌当て部２１が、その下に位置する側方固定部２２に接着固定されている。第２の領域３２の後端と後縁部３との間においても同じである。
【００４９】
吸収性物品１の受液側の表面の左右両側には、２つ折りされた側部シート４０が設けられている。この側部シート４０は疎水性繊維で形成された不織布であり、例えば芯部がＰＰ樹脂で鞘部がＰＥ樹脂の芯鞘型複合合成繊維で形成されたポイントボンド不織布、スパンボンド不織布、メルトブローン不織布などであり、好ましくは液不透過性のものが使用される。
【００５０】
図示右側に位置する側部シート４０は、その外縁部が、吸収性物品１の右側縁部４と一致し、吸収体１３の右側縁部１３ｃよりも外側において、側部シート４０と背面シート１１とがホットメルト型接着剤で接着接合されている。また右側縁部１３ｃから内側の所定幅の範囲で、側部シート４０と背面シート１１とが熱シールされている。図示左側に位置する側部シート４０は、その外縁部が、吸収性物品１の左側縁部４５と一致し、吸収体１３の左側縁部１３ｄよりも外側において、側部シート４０と背面シート１１とがホットメルト型接着剤で接着接合されている。また左側縁部１３ｄから内側の所定幅の範囲で、側部シート４０と背面シート１１とが熱シールされている。
【００５１】
それぞれの側部シート４０では、折り返した内面に縦方向に延びる弾性部材４１が複数個（５〜８本ずつ）固定されている。この弾性部材４１は、吸収体物品１の縦方向のほぼ全長に延びるものであり、１．２〜１．８倍程度に伸ばされた状態で側部シート４０に接着されている。図２には、この側部シート４０が吸収体１３から離れて防漏壁４２を形成する範囲の長さ寸法をＬ４で示している。長さ寸法Ｌ４の範囲よりも前方の領域では、側部シート４０が折り畳まれた状態で、背面シート１１に接合され、長さ寸法Ｌ４よりも後方の領域では、側部シート４０が折り畳まれた状態で背面シート１１に接合されている。
【００５２】
前記長さ寸法Ｌ４の範囲では、前記弾性部材４１の弾性収縮力により、吸収性物品１の前端部と後端部とを互いに接近させる弾性収縮力が作用する。よって、図１に示すように、吸収体１３は、受液側の表面が窪むように凹曲面形状に変形し、前記長さＬ４の範囲では、側部シート４０が吸収体１３の受液側の表面から立ち上がって、防漏壁４２が形成される。吸収体１３は、左右両側部の幅寸法Ｗ１の範囲にエンボス加工が施されて圧縮されており、比較的剛性が高くなっている。よって、前記弾性部材４１の弾性収縮力を受けたときに、吸収体１３は、凹状に変形しやすく、吸収体１３に皺が寄って縦方向の寸法が圧縮される現象が生じにくい。
【００５３】
図２に示すように、防漏壁４２は、前記第１の領域３１と第２の領域３２の双方を含む範囲で形成される。すなわち、防漏壁４２の前端４２ａは、第１の領域３１の前端とほぼ同じ位置か、それよりもやや後方に位置し、防漏壁４２の後端４２ｂは、第２の領域３２の後端とほぼ同じ位置か、それよりもやや前方に位置している。また、側部シート４０に設けられた弾性部材４１の弾性収縮力の作用する範囲は、長さＬ４の範囲であり、この範囲は、液透過性シート２０に設けられた弾性部材２５が弾性収縮力を発揮する第１の領域３１の長さＬ２の範囲よりも十分に長くなっている。
【００５４】
吸収体１３は、長さＬ４の範囲で凹状に湾曲変形し、また肌当て部２１に弾性収縮力が作用するのが第１の領域３１のみである。そのため、第１の領域３１では、吸収体１３の表面から防漏壁４２の自由端までの立ち上がり寸法が、吸収体１３の表面から肌当て部２１が立ち上がる寸法よりも大きくなっている。これは第２の領域３２においても同じである。
【００５５】
前記液透過性シート２０の受液側の表面は、表面シート４５で覆われている。図２に示すように、表面シート４５の前端部４５ａは、吸収性物品１の前縁部２において、背面シート１１に接着剤または熱シールにより接合され、表面シート４５の後端部４５ｂは、後縁部３において背面シート１１に接着剤または熱シールにより接合されている。図３と図４に示すように、表面シート４５の右側端部４５ｃは、側部シート４０に接着剤または熱シールで接合され、表面シート４５の左側端部４５ｄも側部シート４０に接合されている。
【００５６】
さらに、前記第１の領域３１と第２の領域３２の双方において、表面シート４５は、肌当て部２１の受液側表面に、縦方向中心線に沿って接着されている。
【００５７】
表面シート４５は、親水性で液を透過する機能を有しているものである。表面シート４５は、液透過性シート２０と同様に、好ましくは、親水処理された合成樹脂繊維のみで形成され、液保持機能を有するパルプなどの天然繊維、高吸水性樹脂、ポリビニールアルコール（ＰＶＡ）などの吸水性樹脂を含まないものが使用される。優れた液透過機能を発揮できるように、表面シート４５として、目付けが１０〜４０ｇ／ｍ２の範囲のスルーエア不織布を使用することが好ましい。スルーエア不織布は、芯部がポリプロピレン樹脂（ＰＰ）またはポリエチレンテレフタレート樹脂（ＰＥＴ）で、鞘部がポリエチレン樹脂（ＰＥ）の芯鞘型複合合成繊維、またはＰＥＴ繊維、ＰＰ繊維などで形成される。または表面シート４５が、多数の液透過孔を有する樹脂フィルムで形成されてもよい。
【００５８】
表面シート４５は、噛み込みエンボス加工により、縦方向と横方向の少なくとも一方に向けて収縮するように凹凸賦形されたものが使用される。噛み込みエンボス加工は、周面に凹凸部を有する一対のロール間に不織布や樹脂フィルムを噛み込ませる工程で行われる。この工程を経ることにより、表面シート４５は縦方向と横方向の少なくとも一方に伸縮性を有するようになる。その結果、表面シート４５で覆われている肌当て部２１が、吸収体１３の表面から立ち上がりやすくなり、また肌当て部２１が表面シート４５と共に左右に比較的自由に動けるようになる。なお、表面シート４５を、ポリウレタン繊維などの弾性伸縮性繊維を含む不織布などで形成し、表面シート４５が弾性伸縮性を有するようにしてもよい。
【００５９】
この吸収性物品１は、主に失禁患者である女性が装着するのに適している。吸収性物品１の着衣側表面に設けられている離型シートを剥がし、背面シート１１を感圧接着剤層１２を介して、下着の内面に固定する。吸収性物品１は、自由状態において、側部シート４０に取り付けられている弾性部材４１および、液透過性シート２０に取り付けられている弾性部材２５の弾性収縮力によって、図１に示すように、受液側の表面が窪む凹曲面形状となる。装着時は、第１の領域３１に位置している肌当て部２１を身体の尿排泄部に当て、第２の領域３２は肛門から尾てい骨付近まで覆うように装着される。
【００６０】
この吸収性物品１は、吸収体１３から離れている肌当て部２１が表面シート４５で覆われて、肌当て部２１の隆起形状さらには吸収体に形成された幅寸法Ｗ１の圧縮部の形状が直接に目視できないため、装着者には、吸収性物品１の表面が平滑であるかのように見える。そのため、老年の女性が使用するときに、この種の吸収性物品１を着用するという抵抗感や違和感を与えにくい。
【００６１】
装着状態では、第１の領域３１において肌当て部２１が吸収体１３の表面から離間しているため、この肌当て部２１が尿排泄部に密着しやすい。また第１の領域３１では、肌当て部２１が吸収体１３に対して自由度を有しているため、下着と共に吸収体１３が動いても、肌当て部２１が尿排泄部に密着した状態を維持しやすい。
【００６２】
腹圧失禁と称される例えばくしゃみをしたようなときの軽い失禁では、尿排泄部から排泄される尿がわずかであり、この尿は身体の表面を伝わろうとするが、尿排泄部から股間部の最下部にかけて、肌当て部２１が表面シート４５を介して密着しているため、この尿を、表面シート４５および肌当て部２１で捕捉しやすく、尿は液透過性シート２０を伝わって吸収体１３に吸収されやすくなる。
【００６３】
切迫性失禁と称される例えばトイレットへ行くまで我慢できず比較的多くの尿が排泄されたときには、尿が表面シート４５を透過し、液透過性シート２０を透過して吸収体１３に吸収される。吸収体１３は、パルプと高吸水性樹脂を有しているため、パルプによって尿が速やかに吸収され、また多量の尿が高吸水性樹脂で吸収されて保持される。
【００６４】
多量の尿が与えられて、パルプの吸水速度が追いつかず吸収体１３の表面に尿が残る場合がある。この吸収性物品１では、吸収体１３が凹曲面形状を維持しているため、この尿が前後に流れにくく、しかも図３に示すように、第１の領域３１では、吸収体１３の表面に、肌当て部２１と立ち上げ部２３，２３とで挟まれた空洞部２６が存在しているため、尿がこの空洞部２６内に一時貯められる。空洞部２６内には吸収体１３の表面が露出しているため、空洞部２６内の尿は、吸収体１３内のパルプによって短時間のうちに吸収される。さらに、図４に示すように、第２の領域３２においても、立ち上げ部２３の基端２４と基端２４との間に距離Ｗ４が開けられており、その上に肌当て部２１を構成する液透過性シート２０が接着されることなく対向し、吸収体１３の表面と肌当て部２１との間に、その断面積が狭い空洞部２７が形成されている。よって、比較的多くの尿が吸収体１３の表面に残り、その尿が第２の領域３２に移行しても、その尿は前記空洞部２７を伝わって、その下の吸収体１３により速やかに吸収される。
【００６５】
図３に示すように、第１の領域３１では、立ち上げ部２３を形成している液透過性シート２０に撓み余裕部２３ａが設けられ、空洞部２６の内部断面積がかなり広く確保されている。そのため、多量の尿が表面シート４５と肌当て部２１を通過して空洞部２６に与えられたときに、空洞部２６で多くの尿を貯めることができ、この尿が立ち上げ部２３で遮られて幅方向へ流れ出にくくなる。
【００６６】
さらに、特に多量の尿が排泄されたときには、その尿は凹湾曲形状を維持している吸収体１３の表面で貯められるとともに、その両側部に防漏壁４２，４２が存在しているため、尿の幅方向への移動を防漏壁４２，４２で阻止することができ、横洩れを防止できる。
【００６７】
このように、上記吸収性物品１は、腹圧失禁時に少量の尿が排泄されたときに、この尿が身体の股間部を伝わるのを阻止しやすく、また切迫性失禁時に多量の尿が排泄された時にも、吸収体１３で確実に吸収できる。また肌当て部２１と表面シート４５は、親水処理された合成樹脂繊維で形成されて液保持機能が低いため、肌当て部２１と表面シート４５が尿で濡れた状態が長時間続くことがなく肌が濡れ続けるのを防止でき、股間部がかぶれるなどの問題が生じにくい。
【００６８】
以下本発明の他の実施の形態を説明するが、以下の実施の形態において、特に説明する部分以外は、第１の実施の形態と同じであるため、同じ箇所に同じ符号を付してその詳しい説明を省略する。
【００６９】
図５は本発明の第２の実施の形態の吸収性物品１０１を示すものであり、図３と同様に第１の領域３１における横断面図である。
【００７０】
この吸収性物品１０１では、表面シート１４５が、肌当て部２１の受液側の表面にのみ設けられている。表面シート１４５は、第１の実施の形態の表面シート４５と同じ素材で形成されている。表面シート１４５は３枚重ねに折り畳まれ、縦方向の全長に延びる帯形状である。表面シート１４５の前端と後端は、吸収性物品１の前縁部２付近と後縁部３付近で背面シート１１に接合されている。また表面シート１４５は、肌当て部２１の表面に接着固定されている。
【００７１】
この吸収性物品１０１では、肌当て部２１が表面シート１４５の抵抗を受けることがなく、吸収体１３の表面から立ち上がることができ、また肌当て部２１の自由度が高いため、肌当て部２１が尿排泄部に密着した状態を維持しやすい。
【００７２】
図６は本発明の第３の実施の形態の吸収性物品２０１を受液側から示す平面図、図７は図６のＶＩＩ−ＶＩＩ線の断面図である。
【００７３】
この吸収性物品２０１に設けられた表面シート２４５は、第１の実施の形態の表面シート４５と同じ素材で形成されており、その前端部２４５ａは前縁部２において背面シート１１と接合され、後端部２４５ｂは後縁部３において背面シート１１と接合されている。また、右側端部２４５ｃは側部シート４０に接合され、左側端部２４５ｄも側部シート４０に接合されている。そして、肌当て部２１は表面シート２４５に覆われている。
【００７４】
表面シート２４５には、肌当て部２１から左右に離れた位置に、縦方向に延びるスリット２４５ｅが形成されている。このスリット２４５ｅは表面シート２４５を貫通して形成されている。図６に示すように、スリット２４５ｅの前端は第１の領域３１の前端よりもやや前方に位置し、スリット２４５ｅの後端は第１の領域３１の後端よりもやや後方に位置している。
【００７５】
この吸収性物品２０１は肌当て部２１を覆う表面シート２４５の両側部にスリット２４５ｅが形成されているため、肌当て部２１の自由度を表面シート２４５が阻害せず、肌当て部２１が表面シート２４５を介して尿排泄部に密着した状態を維持しやすい。また表面シート２４５に多量の尿が与えられたときに、この尿がスリット２４５ｅを通過して吸収体１３に与えられるため、表面シート２４５に尿が残りにくい。しかも肌当て部２１が表面シート２４５に覆われているため、高齢の女性などが使用するときに、受液側の表面が滑らかに見えるようになり、装着する際の違和感や抵抗感が生じにくい。
【００７６】
また、表面シート２４５に形成される貫通部は、前記のように縦方向に連続して延びるスリットに限られるものではなく、縦方向へ所定の長さを有する短いスリットが縦方向に間隔を空けて間欠的に形成されていてもよいし、あるいは長円形、楕円形、円形などの貫通部が、縦方向に間隔を空けて形成されたものであってもよい。
【００７７】
なお、本発明の吸収性物品は、尿取りパッドとしてのみ使用されるものではなく、生理用ナプキンとして使用することが可能である。生理用ナプキンの場合も、肌当て部２１が排泄部に密着でき、多量の液が与えられたときには、空洞部２６，２７に貯められて経血などを吸収体１３で吸収することが可能である。
【図面の簡単な説明】
【００７８】
【図１】本発明の第１の実施の形態の吸収性物品を示す斜視図、
【図２】第１の実施の形態の吸収性物品が平面状に展開された状態を示す平面図、
【図３】図２のＩＩＩ−ＩＩＩ線の断面図、
【図４】図２のＩＶ−ＩＶ線の断面図、
【図５】本発明の第２の実施の形態の吸収性物品を示す断面図、
【図６】本発明の第３の実施の形態の吸収性物品が平面状に展開された状態を示す平面図、
【図７】図６のＶＩＩ−ＶＩＩ線の断面図、
【符号の説明】
【００７９】
１  吸収性物品
１１  背面シート
１３  吸収体
２０  液透過性シート
２１  肌当て部
２２  側方固定部
２３  立ち上げ部
２３ａ  撓み余裕部
２３ｂ  折り畳み部
２４  基端
２５  弾性部材
２６，２７  空洞部
３１  第１の領域
３２  第２の領域
４０  側部シート
４１  弾性部材
４２  防漏壁
４５  表面シート
１０１  吸収性物品
１４５  表面シート
２０１  吸収性物品
２４５  表面シート
２４５ｅ  スリット（貫通部）
【図１】
2006271649.tif 000003
【図２】
2006271649.tif 000004
【図３】
2006271649.tif 000005
【図４】
2006271649.tif 000006
【図５】
2006271649.tif 000007
【図６】
2006271649.tif 000008
【図７】
2006271649.tif 000009